(57)【特許請求の範囲】
【請求項１】
髭剃使用時と使用後において髭剃装置を構成する板の滑動制御溝の移動範囲を移動する契合部材を有して髭剃板がハンドルの構成要素から起き上がる角度を可変に設定して固定可能な髭剃操作を実現するカード形状の折りたたみ式の髭剃カードであって、
前記滑動制御溝は、複数の凹凸部を有し、前記複数の凹凸部の各凹部は、前記滑動制御溝内に移動可能に設ける髭剃角度制御板の凸部と契合し、前記髭剃角度制御板は、髭剃緩衝板及び弾性部材を含む緩衝装置を収容する髭剃緩衝板移動空間領域を有し、前記髭剃角度制御板は、前記複数の凹凸部の各凸部を乗り上げ各凹部を選択可能に移動し固定するように前記髭剃角度制御板を移動させるための押下部を有することを特徴とする髭剃カード。
【請求項２】
前記髭剃緩衝板は、前記契合部材と契合する契合溝を有し、髭剃り行為実行中に、前記髭剃板が傾斜し移動することによって前記髭剃緩衝板が押圧され移動することを特徴とする請求項１に記載の髭剃カード。
【請求項３】
前記弾性部材は、圧縮及び復元の作用をするバネであり、髭剃り行為の実行状態に応じて、前記髭剃緩衝板は貯えられた復元力によって元の位置に復元することを特徴とする請求項１に記載の髭剃カード。
【請求項４】
前記契合部材は、前記髭剃装置を構成する第１の板に接続点で接続され、弾性を有する金属、樹脂、その他の材料で製造された弾性契合部材であることを特徴とする請求項１に記載の髭剃カード。
【発明の詳細な説明】
【０００１】
【発明の属する技術分野】
この発明は、長さが短く、厚さが薄いカード形状の髭剃カードに関する。
【０００２】
【従来の技術】
人間生活において髭剃行為が必要である。必要となった時点で、いつ、どこでも即座に髭をそることは、大切な行為である。
【０００３】
しかし、髭剃板がハンドルの構成要素から起き上がる角度を任意に設定し固定可能であり、髭剃り行為実行中に髭剃板が傾斜可能であり、厚さが薄く形状がでこぼこしていないより高い髭剃効果を実現しより快適な髭剃操作を実現するカード形状のカード型髭剃は、存在しなかった。
【０００４】
そこで、本発明は、髭剃板がハンドルの構成要素から起き上がる角度を任意に設定し固定可能であり、髭剃り行為実行中に髭剃板が傾斜可能であり、厚さが薄く形状がでこぼこしていないより高い髭剃効果を実現しより快適な髭剃操作を実現するカード形状のカード型髭剃を実現することを目的としている。
【０００５】
【課題を解決するための手段】
上記目的を達成するために、本発明の髭剃カードは、人間の手のひらに容易に収まる大きさで厚みが数ミリメートル程度以下の折り畳み式の髭剃装置とハンドルから構成するものである。
【０００６】
本発明の髭剃カードは、第１の板と、第２の板と、第３の板と、第４の板と、第５の板と、第６の板と、第７の板と、第８の板を備える。第１の板、第２の板、そして第３の板は切目が外側になるように折曲げる。髭剃使用時には第２及び第３の板が第４の板から立ち上がり髭剃不使用時には第２及び第３の板が第４の板と層状に重なる髭剃装置を形成する。髭剃使用時に、第７の板及び第８の板は切目が外側になるように折曲げ、さらに第５の板及び第６の板を切目が外側になるように折曲げ、第７の板及び第８の板と第５の板及び第６の板とを層状に重ね合わせることによりハンドルを形成する。
【０００７】
【作用】
上記のように構成された髭剃カードは、厚さが数ミリメートル程度以下であるので携帯に便利であり、いつでも、どこでも、必要なとき即座に使用できる。
【０００８】
【実施例】
本発明をより詳細に説術するために、添付の図面に従ってこれを説明する。先ず、本発明の髭剃カードの第１の実施例を説明する。
【０００９】
（実施例１）
図１は、本発明の髭剃カードの第１の実施例を全開した状態を示す。
図１（Ａ）は、本発明の髭剃カードの第１の実施例を全開した平面の状態を示す説明図である。髭剃カードは、タングステンカーバイト等の超硬合金、鉄、アルミニウム、ステンレス等の金属、プラスチック、セラミック、ガラス、その他の薄くて強度をもつ板材であれば何であってもよい。髭剃カードは、髭剃装置を構成する第１の板１０、第２の板１８、第３の板５６、そして第４の板３０と、ハンドルを構成する第５の板５４、第６の板４８、第７の板４０、そして第８の板３６とから成る。第５から第８の各板の長さ方向の長さは所望の一定値に設定し、各板の長さ方向を直角に切る長さは使用する板の厚さに応じて各板毎に多少の変化をつけて良い。第１の板１０は、接続点Pで接続された契合部材１９を有する。保持部材２１は、後述するように、第１の板１０を第４の板３０と層状に重ね、第４の板３０から外れることなく第４の板３０の面上を滑るように接続点Pを介して保持するように組立てるためのものである。第４の板３０は、滑動制御溝２５を有する。契合部材１９は、組立時に滑動制御溝２５に嵌合する。契合部材１９は、髭剃使用時と使用後において、滑動制御溝２５の移動範囲を移動する。ここで、髭剃使用時とは、髭剃り行為を実行するとき、本発明の髭剃カードを使用することであり、髭剃使用後とは、髭剃り行為を実行した後、本発明の髭剃カードを使用しないことである。滑動制御溝２５の形状は、滑動用の溝形状とその両端に形成された滑動抑制用のやや大きな溝形状を有する。第４の板３０は髭剃装置及びハンドルの構成要素である。ハンドルを構成する第５から第８の板は、図示されているように各板の端部近くに折曲げ回数に対する耐破裂性を有する薄膜で各々の板の片面を連結することによって得られた切目３４を一方の片面に有する。各板の切れ目（折れ目）は、切れ目を外側（内側）にして各板を容易にかつ確実に折り曲げる作用をする。以下同様である。折曲げ回数に対する耐破裂性を有する薄膜は、例えば繊維素材、ポリプロピレン材等の折曲げ回数に対する耐破裂性を有する素材であれば何でも良い。あるいは、耐破裂性を有する薄膜は、形状を記憶する金属材料、プラスチック材料、その他であっても良い。さらに、耐破裂性を有する薄膜は、可塑性の材用、例えば、薄い金属材料、樹脂材料、プラスチック材料、その他の材料であっても良い。切目３４は、折り畳み用の基準線として機能し髭剃カードを折り畳んだり展開するよう作用する。第１の板１０は、使用時に第４の板３０と層状に重なる。第２の板１８は、使用時に第３の板５６を支える作用をする。第３の板５６は、髭剃部２３を備えた髭剃板であり、使用時に、利用者の髭を剃る作用をする。
【００１０】
第８の板３６は、使用時に第６の板４８と層状に重なり、第７の板４０は第５の板５４と層状に重なることにより、相互に補強し合う作用をなしハンドルを安定させる効果を奏する。実線は、見ている側の板と板の間に切目１６、２０、２６、そして３２があることを示し、点線は見ている側の反対面に切目３４、３８、４２、４６、そして５２があることを示す。
【００１１】
ここで、本明細書において、本発明の板材として表（裏）面に切目を設け、裏（表）面に切目を設けないとは、既に説明したように、板材を切断し、一方の板材と他方の板材のそれぞれの切断面を隣接し、板材の表（裏）面のみに例えば繊維素材、ポリプロピレン材のような薄く、曲げ回数に対する耐破裂性を有する薄板を貼り付けることを意味する。もしくは、平丁番、旋丁番等の丁番で連結することを意味する。または、例えばプラスチックのような加工しやすい材質では一体成形により切目を材料の厚みの約９８％程度（材質に応じて任意に設定してよい）まで設けることによって製造することを意味する。以下同様である。
【００１２】
第５の板５４は、カード状態から髭剃状態に組み立てるとき第７の板４０と契合するための契合部材５０を有する。図示してないが、第５の板５４の契合部材５０の場合と同様に、第８の板３６は、第６の板４８と契合するようにさらに契合部材を設けてもよい。また、重なり合う各板の両対向面の片面に薄い板磁石を設け他面に磁性材料で製造した薄膜を形成するかもしくは板磁石の対向板を磁性材料で製造するか、または、両面に薄い板磁石を設けることによって、磁石の吸引力によって着脱可能に契合させても良い。第３の板５６は、切目２０及び２６を有する面上に髭剃刃２２及び２４と基台２８で構成する髭剃部２３を有する髭剃板である。本実施例では、髭剃刃を髭剃刃２２及び２４の２枚としたが、１枚もしくはそれ以外であっても良い。髭剃部２３は第３の板５６に固着している。第４の板３０は、表面から裏面にわたる切目３２を有する。
【００１３】
図１（Ｂ）は、本発明の髭剃カードの第１の実施例を全開した底面の状態を示す説明図である。実線及び点線は、既に説明した通りである。開口部５７は、髭剃部２３に対応した大きさで髭剃板である第３の板５６に図示するように設ける。つまり、開口部５７は、髭剃部２３と同じ大きさの場合も有り得るし髭剃部２３より小さい場合も有り得るし大きい場合も有り得る。開口部５７は、使用時に剃りとった髭を排出する作用をなし多量の剃った髭をため込まない効果を奏する。
【００１４】
図２は、弾性の契合部材１９が滑動制御溝の範囲を移動する過程並びに弾性の契合部材および滑動制御溝の他の実施例を示す。
図２（Ａ）は、髭剃使用時に第３の板５６が第４の板３０から起き上がるように操作したとき、弾性の契合部材１９が髭剃位置溝λ１に位置する状態を示す。弾性の契合部材１９は、すでに述べたように第１の板１０と接続点Ｐで接続する。弾性の契合部材１９は、本実施例においては弾性を有する金属、樹脂、その他の材料で製造された弾性契合部材である。
【００１５】
図２（Ｂ）は、髭剃使用状態から髭剃不使用状態に移行するように操作したときの途中過程において、弾性の契合部材１９が移動溝λ２に位置する状態を示す。弾性の契合部材１９は、髭剃位置溝λ１に比べてより狭い縦方向の幅の移動溝λ２に位置するため、図示するように縦方向の幅が狭まって位置する。
【００１６】
図２（Ｃ）は、髭剃不使用時に第３の板５６が第４の板３０に重なるように操作したとき、弾性の契合部材１９が髭剃不使用位置溝λ３に位置する状態を示す。弾性の契合部材１９は、移動溝λ２に比べてより広い幅の髭剃不使用位置溝λ３に位置するため、図示するように縦方向の幅が拡大して位置し、この状態を維持する。
【００１７】
次に、弾性契合部材および滑動制御溝の他の実施例を示す。
図２（Ｄ）及び（Ｅ）は、複数の凹凸部を有する滑動制御溝と、滑動制御溝の各凹部と契合する弾性契合部材を示す。
図２（Ｄ）は、弾性契合部材の凸部３０２及び滑動制御溝３０４の各凹（凸）部の形状が尖っている場合を示す。弾性契合部材の凸部３０２は、滑動制御溝３０４の各凹部３００と契合する。複数の凹凸部からなる契合位置をずらすことにより、任意の移動停止位置を選択できる。従って、第３の板５６が第４の板３０から起き上がる角度を任意に設定し固定できるため、より高い髭剃効果を実現する。さらに、より快適な髭剃操作が実現する。
【００１８】
図２（Ｅ）は、弾性の契合部材の凸部３０６及び滑動制御溝３０４の各凹（凸）部３０８の形状が丸いもしくは滑らかになだらかな場合を示す。弾性の契合部材の凸部３０６は、滑動制御溝３０４の各凹部３０８と契合する。その他の機能及び効果は図２（Ｄ）の場合と同様である。
【００１９】
図３は、滑動制御溝２５の他の実施例を示す説明図である。図３（Ａ）は、髭剃使用状態での滑動制御溝２５の状態を示す説明図である。滑動制御溝２５は、複数の凹凸部３１０を有する。本実施例では、丸み形状の複数の凹凸部３１０を示したが、形状は三角形状であっても良いし、その他であっても良い。複数の凹凸部３１０の各凹部は、髭剃角度制御板３１４の凸部３１８と契合する。凸部３１８は、複数の凹凸部３１０の各凸部を乗り上げ各凹部を選択可能に移動し固定するように弾力を有する。本実施例では、両凸部３１８の間に凹部を設けることによって、弾力構造を実現しているが、両凸部３１８を弾性材料で製造することによって弾力構造を実現しても良い。髭剃角度制御板３１４は、髭剃緩衝板３１６及び弾性部材３２０等を含む緩衝装置を収容する髭剃緩衝板移動空間領域３２４を有する。髭剃緩衝板３１６は、契合部材１９と契合する契合溝３２２を有する。弾性部材３２０は、圧縮及び復元の作用をする部材、例えば板バネ等である。髭剃角度制御板３１４は、押下部３１２を有する。押下部３１２は、複数の凹凸部３１０の各凸部を乗り上げ各凹部を選択可能に移動し固定するように髭剃角度制御板３１４を移動させるために使用する。なお、図示してないが、押下部３１２が押下されたとき、髭剃角度制御板３１４が安定して移動可能となるように、押下部３１２の付近の髭剃角度制御板３１４の部分から第４の板３０に延びる平板を設けることによって第４の板３０が髭剃角度制御板３１４を移動可能に支持する構造を有してもよい。あるいは、安定移動をさらに確実にするために、髭剃角度制御板３１４から延びる平板をＵ字形状に加工し第４の板３０の一部及び凹凸部３１０をＵ字形状の間に挟むことによって第４の板３０が髭剃角度制御板３１４を移動可能に支持してもよい。図示の押下部３１２の位置は、髭剃使用状態の位置を示す。
【００２０】
図３（B）は、髭剃り行為実行中に、第２の板１８及び第３の板５６が傾斜し、第１の板１０が移動することによって、髭剃緩衝板３１６が押圧され移動した状態を示す説明図である。髭剃緩衝板３１６が押圧されたことにより、弾性部材３２０は、圧縮され、復元力を貯える。髭剃り行為の実行状態に応じて、髭剃緩衝板３１６は貯えられた復元力によって元の位置に復元する。このような髭剃緩衝板３１６の圧縮及び復元運動は、利用者の顔面構造及び髭剃行為の実行姿勢に応じて繰り返される。従って、本発明の髭剃カードは、緩衝装置を設けることによって利用者の顔面構造に適合した快適な髭剃り作用を実現する。
【００２１】
図３（C）は、髭剃不使用状態の髭剃角度制御板３１４の位置を示す。髭剃行為が終了したあと、押下部３１２を押下し第１の板１０から反対方向へ髭剃角度制御板３１４を移動することによって、第２の板１８及び第３の板５６が第４の板３０と層状に重なるように移動し、髭剃不使用状態となる。
【００２２】
図４は、髭剃使用時における本発明の髭剃カードの第１の実施例の正面の状態を示す説明図である。図４（Ａ）は、髭剃角度制御板３１４を有する本発明の髭剃カードの正面の状態を示す説明図である。髭剃使用状態の本発明の髭剃カードは髭剃装置αとハンドルβで構成される。髭剃装置αは、第１の板１０、第２の板１８、そして第３の板５６を切目１６、２０、そして２６が外側になるように折曲げ、第１の板１０を第４の板３０と層状に重ね、契合部材１９を契合溝３２２と契合させることによって実現する。さらに、第１の板１０から反対側の第４の板３０の上に、接続点Pを介して保持部材２１を接続し、第１の板１０が第４の板３０から外れることなく移動できるようにする。ハンドルβは、切目３８及び４２が外側になるように第８の板３６及び第７の板４０を折曲げ、第８の板３６の端部３７を第４の板３０と第６の板４８との間の折れ目上もしくは第４の板３０と第６の板４８との間の切目４６を外側にもつ線上に合わせた後（第１の折曲げ状態）、次に、切目４６及び５２が外側になるように第５の板５４及び第６の板４８を折曲げ、第１の折曲げ状態で折曲げられた第７の板４０及び第８の板３６の上に覆うように重ね合わせ、契合部材５０により第５の板５４と第７の板４０とを契合させる（第２の折曲げ状態）ことにより形成する。あるいは、ハンドルβは、切目４６及び５２が外側になるように第５の板５４及び第６の板４８を折曲げ、第５の板５４の端部５５を第４の板３０と第７の板４０との間の折れ目上もしくは第４の板３０と第７の板４０との間の切目４２を外側にもつ線上に合わせた後（第１aの折曲げ状態）、次に、切目３８及び４２が外側になるように第７の板４０及び第８の板３６を折曲げ、第１aの折曲げ状態で折曲げられた第５の板５４及び第６の板４８の上に覆うように重ね合わせ、契合部材（図示せず）により第６の板４８と第８の板３６とを契合させる（第２aの折曲げ状態）ことによって形成する。押下部３１２を髭剃使用の位置に移動させることにより、第１から第４までの板は、図示するように三角柱形状の構造となり安定した髭剃装置αを構成する。髭剃緩衝板３１６が無押圧のとき、第３の板５６は第４の板３０の中心軸の垂直方向に対してΘ１の角度に傾く。
【００２３】
図４（B）は、髭剃り行為実行中に、第２の板１８及び第３の板５６が傾斜し、第１の板１０が移動することによって、髭剃緩衝板３１６が押圧され移動した時の、髭剃角度制御板３１４を有する本発明の髭剃カードの正面の状態を示す説明図である。髭剃り行為実行中に髭剃緩衝板３１６が押圧されたとき、第３の板５６は第４の板３０の中心軸の垂直方向に対してΘ２（Θ２＞Θ１）の角度に傾く。
【００２４】
図４（C）は、押下部３１２を髭剃不使用状態の位置へ移動したときの本発明の髭剃カードの正面の状態を示す説明図である。髭剃行為が終了したあと、第１の板１０から反対方向へ押下部３１２を押下し髭剃角度制御板３１４を移動することによって、第２の板１８及び第３の板５６が第４の板３０と層状に重なるように移動し、髭剃不使用状態となる。
【００２５】
図４（D）は、髭剃不使用に本発明の髭剃カードを折り畳んだときの正面の状態を示す説明図である。各板の厚さを薄くすればするほど、折り畳んだときの全体の厚みは減少する。例えば、全体の厚みを１ミリメートル以下にすることが可能である。
【００２６】
（実施例２）
図５は、本発明の髭剃カードの第２の実施例を全開した状態を示す。
図５（Ａ）は、本発明の髭剃カードの第２の実施例を全開した平面の状態を示す説明図である。実線及び点線は、既に説明した通りである。第２の実施例と第１の実施例との相違点は、第１の実施例は第１の板１０を有するが、第２の実施例は第１の板１０を有しない点である。第２の実施例は、第１の板１０の替わりに滑動制御板１３を有する。滑動制御板１３は、滑動を停止させるための後述のレバーを移動可能に収容するためのレバー溝１１を有する。滑動制御板１３は、第４の板３０と層状に重ね、第４の板３０から外れることなく第４の板３０の面上を移動するように保持して組立てる。レバー溝１１は、組立て時にレバーを介して第４の板３０の滑動制御溝１５と連携する。
【００２７】
図５（Ｂ）は、本発明の髭剃カードの第２の実施例を全開した底面の状態を示す説明図である。各構成要素は、すでに説明した通りである。
【００２８】
図６は、本発明の第２の実施例の髭剃カードの滑動制御板１３、第２の板１８、そして第３の板５６を組立てた時の底面の状態を示す。
図６（Ａ）は、第２の板１８及び第３の板５６が第４の板３０から起き上った髭剃使用状態の底面を示す。レバー９は、この状態を維持するために、レバー溝１１と滑動制御溝１５の一端と連携させ、滑動制御板１３を第４の板３０の面上に固定する作用をする。
【００２９】
図６（Ｂ）は、組立てた第２の実施例の髭剃カードを髭剃使用状態から不使用状態に移動する途中過程の底面の状態を示す。第４の板３０から起き上がった第２の板１８及び第３の板５６は、第４の板３０と層状に重なるように移動する。この移動過程は、例えば、同図において上方から下方へレバー９の位置を切り替え、滑動制御板１３を移動することによって操作する。滑動制御板１３は、レバー９によってレバー溝１１が滑動制御溝１５と連携することより第４の板３０から外れることなく第４の板３０の面上を移動する。
【００３０】
図６（Ｃ）は、第２の実施例の髭剃カードの髭剃不使用状態での底面の状態を示す。髭剃不使用時、第２の板１８及び第３の板５６が第４の板３０に層状に重なるように滑動制御板１３を操作する。この状態を維持するために、レバー９によってレバー溝１１と滑動制御溝１５の他端とを連携させ滑動制御板１３を第４の板３０の面上に固定する。
【００３１】
図７は、本発明の髭剃カードの第２の実施例の正面の状態を示す説明図である。図７（Ａ）は、第２の実施例の髭剃カードを使用する状態に折曲げた正面の状態を示す説明図である。第２の板１８及び第３の板５６は、第４の板３０から起き上がり、髭剃使用状態となる。さらに、レバー９によってこの状態を維持する。すでに述べたように、髭剃使用状態の本発明の髭剃カードは髭剃装置αとハンドルβで構成される。第２から第４までの板は、後に図示するように三角柱形状の構造となり安定した髭剃装置αを構成する。
【００３２】
図７（Ｂ）は、第２の実施例の髭剃カードを髭剃使用状態から髭剃不使用状態に移動する途中過程を説明する正面の状態を示す。第４の板３０から起き上がった第２の板１８及び第３の板５６は、第４の板３０と重なる方向に移動する。この移動過程は、レバー９の位置を切り替えることによって操作する。滑動制御板１３はレバー９によってレバー溝１１が滑動制御溝１５と連携して第４の板３０の面上を移動する。
【００３３】
図７（Ｃ）は、第２の実施例の髭剃カードの髭剃不使用状態での正面の状態を示す。髭剃不使用時、第２の板１８及び第３の板５６は第４の板３０と層状に重なるように操作する。この状態を維持するために、滑動制御板１３は、レバー９によってレバー溝１１と滑動制御溝１５の他端とを連携させ第４の板３０の面上に固定する。
【００３４】
図８は、髭剃使用時における本発明の髭剃カードの第２の実施例の状態を示す。図８（Ａ）は、本発明の髭剃カードの第２の実施例を使用する状態に折曲げた状態の平面の状態を示す説明図である。契合部材５０により第５の板５４と第７の板４０とが契合することにより安定した三角柱形状のハンドルを構成する。
【００３５】
図８（Ｂ）は、本発明の髭剃カードの第２の実施例を使用する状態に折曲げた状態の底面の状態を示す説明図である。第２の板１８は、第３の板５６を安定に支持する。滑動制御板の制御範囲γにおいて、レバー９により滑動制御板１３を第４の板３０の面上に固定することにより安定した髭剃装置を実現する。
【００３６】
図９は、髭剃使用時における本発明の髭剃カードの第２の実施例の側面の状態を示す説明図である。図９（Ａ）は、本発明の髭剃カードの第２の実施例を使用する状態に折曲げた状態の左側面の状態を示す説明図である。使用する状態に折曲げた状態の髭剃カードの左側面において、髭剃刃２２及び２４等で構成する髭剃部２３を固着した髭剃板が見られる。第５から第８までの板は、図示するように三角柱形状の構造となり安定したハンドルを構成する。
【００３７】
図９（Ｂ）は、本発明の髭剃カードの第２の実施例を使用する状態に折曲げた状態の右側面の状態を示す説明図である。第５の板５４に設けられた契合部材５０により第５の板５４と第７の板４０とが契合することにより安定したハンドルを構成する。第５から第８までの板は、既に図示して説明したように三角柱形状の構造となり安定したハンドルを構成する。
【００３８】
（実施例３）図１０は、本発明の髭剃カードの第３の実施例を全開した状態を示す。図１０（Ａ）は、本発明の髭剃カードの第３の実施例を全開した平面の状態を示す説明図である。実線及び点線は、既に説明した通りである。第３の実施例と第１の実施例との相違点の第１は、第１の実施例は第１の板１０を有するが、第３の実施例は第１の板１０を有しない点である。第３の実施例は、第１の板１０の替わりに契合凸部６１を有する。第３の実施例と第１の実施例との相違点の第２は、第１の実施例は第４の板３０に設けられた滑動制御溝２５を有するが、第３の実施例は滑動制御溝を有しない点である。第３の実施例において、第４の板３０は、髭剃不使用時に契合凸部６１を収容固定する第１の収容固定部６３を有する。この第１の収容固定部６３は、契合凸部６１に適合する穴もしくは収容し固定可能な空間を形成する板等である。
【００３９】
図１０（Ｂ）は、本発明の髭剃カードの第３の実施例を全開した底面の状態を示す説明図である。第３の実施例において、第４の板３０は、髭剃使用時に契合凸部６１を収容固定する第２の収容固定部６５を有する。この第２の収容固定部６５は、契合凸部６１に適合する穴もしくは収容し固定可能な空間を形成する板等である。
【００４０】
図１１は、本発明の髭剃カードの第３の実施例を髭剃不使用時に折りたたんだ状態並びに髭剃使用時の契合凸部及び収容固定部の状態を示す説明図である。
図１１（Ａ）は、折りたたんだ状態の本発明の髭剃カードの第３の実施例の正面の状態を示す説明図である。髭剃不使用時に、本発明の髭剃カードを切目３４を折れ線として、切目３４が外側になるように、第４の板３０、第５の板５４、第６の板４８、第７の板４０、そして第８の板３６を第１から第３の板に対向して折りたたんだ状態である。折りたたんだ状態の本発明の髭剃カードの正面には、第４の板３０、第５の板５４、第６の板４８、第７の板４０、そして第８の板３６等が見られる。
【００４１】
図１１（Ｂ）は、折りたたんだ状態の本発明の髭剃カードの第３の実施例の背面の状態を示す説明図である。髭剃不使用時に、折りたたんだ状態の本発明の髭剃カードの第３の実施例の背面には、第２の板１８、第３の板５６、第４の板３０、第５の板５４、第６の板４８、第７の板４０、そして第８の板３６等が見られる。
【００４２】
図１１（Ｃ）は、髭剃使用時に、契合凸部６１が第２の収容固定部６５に収容固定された状態を示す。髭剃使用時には、契合凸部６１を第２の収容固定部６５へ収容し固定し、すでに説明したように第２の板１８及び第３の板５６を折り曲げ、髭剃部を構成する。髭剃不使用時には、契合凸部６１を第２の収容固定部６５から引き出し、すでに説明したように第２の板１８及び第３の板５６を折りたたみ、さらに契合凸部６１を第１の収容固定部６３へ収容し固定することによって折りたたんだ状態を得る。図示の第２の収容固定部６５は、契合凸部６１を収容し固定可能な袋の状態を形成した例を示す。すでに述べたように、収容し固定可能な穴の状態を形成しても良い。
【００４３】
以上に述べた実施例において、例えば第４の板３０、第５の板５４、第６の板４８、第７の板４０、そして第８の板３６等の表面を鏡面コーティングすることによって、髭剃り状況を確認するための機能を有しても良い。
【００４４】
本発明は、以上説明したように構成されているので、厚さが、例えば数ミリメートル程度以下と薄く、長さが短く、髭剃板がハンドルの構成要素から起き上がる角度を任意に設定し固定可能であり、髭剃り行為実行中に髭剃板が傾斜可能であり、形状がでこぼこしていないより高い髭剃効果を実現しより快適な髭剃操作を実現するカード形状のカード型髭剃を実現し、携帯に便利であり、いつでも、どこでも、必要なとき即座に快適な髭剃行為を実行できる効果を奏する。
【図面の簡単な説明】
【図１】本発明の髭剃カードの第１の実施例を全開した状態を示す説明図である。
【図２】弾性の契合部材が滑動制御溝を移動する過程と弾性の契合部材および滑動制御溝の他の実施例を示す説明図である。
【図３】滑動制御溝の他の実施例を示す説明図である。
【図４】髭剃使用時における本発明の髭剃カードの第１の実施例の正面の状態を示す説明図である。
【図５】本発明の髭剃カードの第２の実施例を全開した状態を示す説明図である。
【図６】本発明の第２の実施例の髭剃カードの滑動制御板、第２の板、そして第３の板を組立てた時の底面の状態を示す説明図である。
【図７】本発明の髭剃カードの第２の実施例の正面の状態を示す説明図である。
【図８】髭剃使用時における本発明の髭剃カードの第２の実施例の状態を示す説明図である。
【図９】髭剃使用時における本発明の髭剃カードの第２の実施例の側面の状態を示す説明図である。
【図１０】本発明の髭剃カードの第３の実施例を全開した状態を示す説明図である。
【図１１】本発明の髭剃カードの第３の実施例を髭剃不使用時に折りたたんだ状態並びに髭剃使用時の契合凸部及び収容固定部の状態を示す説明図である。
【符号の説明】
１９  契合部材
２３  髭剃部
２５  滑動制御溝
α    髭剃装置
β    ハンドル
【図１】
0005092187.tif 000002
【図２】
0005092187.tif 000003
【図３】
0005092187.tif 000004
【図４】
0005092187.tif 000005
【図５】
0005092187.tif 000006
【図６】
0005092187.tif 000007
【図７】
0005092187.tif 000008
【図８】
0005092187.tif 000009
【図９】
0005092187.tif 000010
【図１０】
0005092187.tif 000011
【図１１】
0005092187.tif 000012